(57)【要約】      （修正有）【課題】建設の勾配に関する施工において、計算することなく、垂木の長さ、隅木の長さ、小屋の高さ、建物のスパンを相互に換算し、実際に勾配に関する位置をしめすようにする。【解決手段】建物のスパン目盛１と小屋の高さ目盛２を分けて配置する。裏面には垂木の長さ目盛３と隅木の長さ目盛４を分けて配置する。それぞれが相互に換算できるよう一目盛の間隔をかえて、同じ数値を添え、実際に勾配に関する位置を示せるようにする。【選択図】図１
2005256577.tif 000002
【特許請求の範囲】
【請求項１】
建設の勾配に関する施工において、垂木の長さ、隅木の長さ、小屋の高さ、建物のスパンを相互に換算し、実際に勾配に関する位置を示す換算器具。
【請求項２】
目盛を簡略化しスパン記号を用いる事で、複数の勾配に対応できる換算器具。
【請求項３】
巻尺又は定規の両面を利用して、従来の長さ単位の目盛を建物のスパンとして記載し、これを基準として特定の勾配に対応して相互に換算した垂木の長さ目盛、隅木の長さ目盛、小屋の高さ目盛を記載した換算器具。
【請求項４】
垂木の長さ、隅木の長さ、小屋の高さのうち必要な目盛と、建物のスパン目盛を記載した換算器具。
【請求項５】
スパン記号やポイントマーク、数値、記号を用いて換算した目盛の位置関係をわかり易くした換算器具
【発明の詳細な説明】
【技術分野】
【０００１】  本発明は、建設の勾配に関する施工において、垂木の長さ、隅木の長さ、小屋の高さ、建物のスパンが相互に換算でき、実際に勾配に関する位置を示す事ができる器具である。
【技術背景】
【０００２】  従来、建設の勾配に関する施工において、図面上には記されていない値が多い為、複雑な計算をする必要があった。
【０００３】  隅木の長さを求める時に使用する器具はあったが、再度計算する必要があり、また隅木に関する垂木の長さ、小屋の高さ、建物のスパンにあたる数値も計算し、巻尺等で実際の位置を測る必要がある。（例えば特許文献１参照）
【０００４】
【特許文献１】  特開平０６−０７４７０３号公報
【発明の開示】
【発明が解決しようとする課題】
【０００５】  解決しようとする問題点は、建設の勾配に関する施工において、ひとつの器具で垂木の長さ、隅木の長さ、小屋の高さ、建物のスパンを計算する事なく相互に換算でき、実際にそれぞれが勾配に関する位置を示すようにする。
【解決するための手段】
【０００６】  本発明は、従来の長さ単位の目盛を建物のスパンとして基準にし、垂木の長さ、隅木の長さ、小屋の高さをそれぞれが相互に換算できるよう一目盛あたりの間隔をかえて、同じ数値を添え、実際に勾配に関する位置を示せるようにする。尚、小屋の高さを示す目盛は間隔が狭くなり見る事が困難な場合、目盛を簡略し数値等で表現できるようにする。
【発明の効果】
【０００７】  建設の勾配に関する施工において、垂木の長さ、隅木の長さ、小屋の高さ、建物のスパンのうちいずれかの値を知る事で他の値を換算でき、実際に勾配に関する位置を示す事ができる。よって計算する手間がなくなり、施工時間の短縮、施工ミスを防ぐ事ができる。大工の作業に限らず、勾配に関する設計、現場管理、電気の器具付け、クロスや屋根材などの材料の拾いなども簡単になる。
【発明を実施するための最良の形態】
【０００８】  巻尺の表面に建物のスパンとして用いるｍｍ単位の目盛、小屋の高さの目盛を分けて配置する。裏面には垂木の長さ、隅木の長さの目盛を分けて配置する。実際にそれぞれが相互に換算した位置を示すようにする。建物のスパンの目盛に１０ｍｍ毎と４５５ｍｍ毎にポイントマークや数値をつける。そしてその他の換算された目盛位置にも同じポイントマークや数値、記号を付けて換算しやすくする。
【実施例１】
【０００９】  図１、図２、図３は、本発明の５寸勾配専用巻尺目盛の一部分である。図５は小屋平面図、図６は小屋側面図であり、これに表記してある垂木１の長さ、隅木２の長さ、小屋の高さ３、建物のスパン４が相互に換算でき、実際に位置を示す事ができる。【００１０】  本実施例では換算器具として巻尺を使用したが、これに限らず定規等でもよい。又、必要に応じて垂木の長さ、隅木の長さ、小屋の高さのうち必要な目盛と、建物のスパン目盛を記載した器具でもよい。【００１１】  使用例としては、建物のスパン４は建物のスパン目盛記載欄１０１で測り、建物のスパン目盛５の位置である４５５ｍｍを示した。建物のスパン４５５ｍｍに対して換算された垂木の長さ目盛６、隅木の長さ目盛７、小屋の高さ目盛８がそれぞれの位置である。これと同一上にある建物のスパン目盛記載欄１０１、建物のスパン目盛記載欄２０１、建物のスパン目盛記載欄３０１がそれぞれ建物のスパン目盛９は５０８．７１ｍｍ、建物のスパン目盛１０は６８２．５ｍｍ、建物のスパン目盛１１は２２７．５ｍｍを示している。よって建物のスパン４５５ｍｍに対する垂木の長さは５０８．７１ｍｍ、隅木の長さは６８２．５ｍｍ、小屋の高さは２２７．５ｍｍとなる。【００１２】  建物のスパンを求める場合は建物のスパン目盛記載欄１０１、建物のスパン目盛記載欄２０１、建物のスパン目盛記載欄３０１を見る。小屋の高さを求める場合は小屋の高さ目盛記載欄１０２、小屋の高さ目盛記載欄２０２、小屋の高さ目盛記載欄３０２を見る。垂木の長さを求める場合は垂木の長さ目盛記載欄１０３、垂木の長さ目盛記載欄２０３、垂木の長さ目盛記載欄３０３を見る。隅木の長さを求める場合は隅木の長さ目盛記載欄１０４、隅木の長さ目盛記載欄２０４、隅木の長さ目盛記載欄３０４を見る。建物のスパンを基準としてそれぞれの目盛間隔をかえて同じポイントマークや数値をつけているため、相互に換算した位置がわかり実際に示している。
【実施例２】
【００１３】  図４は、本発明の、４寸、４．５寸、５寸、５．５寸、６寸、６．５寸、７寸の勾配に対応する巻尺目盛の一部である。図５、図６に表記してある垂木１の長さ、隅木２の長さ、小屋の高さ３、建物のスパン４が相互に換算でき、実際に位置を示す事ができる。目盛を簡略化して複数の勾配に対応出来るようにした物である。【００１４】  本実施例では換算器具として巻尺を使用したが、これに限らず定規等でもよい。対応する勾配及び勾配の数はこれに限らない。又、垂木の長さ、隅木の長さ、小屋の高さのうち必要な目盛と、建物のスパン目盛を記載した器具でもよい。【００１５】  使用例としては、垂木の長さ目盛記載欄４０３にある垂木の長さを示すスパン記号目盛１２、スパン記号目盛１３、スパン記号目盛１４と同一線上の建物のスパン目盛記載欄４０１にある建物のスパン目盛１５は５３０．６２ｍｍ、建物のスパン目盛１６は５４２．６７ｍｍ、建物のスパン目盛１７は５５５．４ミリを示していている。よって６寸勾配で建物のスパン４５５ｍｍに対する垂木の長さは５３０．６２ｍｍ、６．５寸勾配で建物のスパン４５５ｍｍに対する垂木の長さは５４２．６７ｍｍ、７寸勾配で建物のスパン４５５ｍｍに対する垂木の長さは５５５．４ｍｍとなる。【００１６】  スパン記号を説明すると、スパン記号目盛１２の６寸１Ｐは６寸勾配で４５５ｍｍ×１の略式記号である。スパンの長さを基準とした４５５ｍｍをＰに置き換えて、Ｐの前の数字をかけたものが建物のスパンあたる。建物のスパンを基準としているため、いかなる勾配であっても建物のスパンはこれにあたる。【００１７】  建物のスパンを求める場合は建物のスパン目盛記載欄４０１、小屋の高さを求める場合は小屋の高さ目盛記載欄４０２、垂木の長さを求める場合は垂木の長さ目盛記載欄４０３、隅木の長さを求める場合は隅木の長さ目盛記載欄４０４をそれぞれみる。そしてスパン記号が同じ物は相互に換算された位置である。【００１８】  尚、実施例を二つ挙げたが、スパン記号の表現、目盛の配列のしかたは使用の例であって、これに限らない。目盛の長さ単位、建物の芯ピッチ（４５５ｍｍピッチや４０７ｍｍピッチなどがある。）もこれに限らない。
【図面の簡単な説明】
【００１９】
【図１】  ５寸勾配専用巻尺目盛の一部分を表と裏で見比べた図である。
【図２】  ５寸勾配専用巻尺目盛の一部分を表と裏で見比べた図である。
【図３】  ５寸勾配専用巻尺目盛の一部分を表と裏で見比べた図である。
【図４】  複数勾配対応巻尺目盛の一部分を表と裏で見比べた図である。
【図５】  小屋平面図である。
【図６】  小屋側面図である。
【符号の説明】
【００２０】      １    垂木
２    隅木
３    小屋の高さ
４    建物のスパン
５    建物のスパン目盛
６    垂木の長さ目盛
７    隅木の長さ目盛
８    小屋の高さ目盛
９    建物のスパン目盛
１０    建物のスパン目盛
１１    建物のスパン目盛
１２    スパン記号目盛
１３    スパン記号目盛
１４    スパン記号目盛
１５    建物のスパン目盛
１６    建物のスパン目盛
１７    建物のスパン目盛
１０１    建物のスパン目盛記載欄
１０２    小屋の高さ目盛記載欄
１０３    垂木の長さ目盛記載欄
１０４    隅木の長さ目盛記載欄
２０１    建物のスパン目盛記載欄
２０２    小屋の高さ目盛記載欄
２０３    垂木の長さ目盛記載欄
２０４    隅木の長さ目盛記載欄
３０１    建物のスパン目盛記載欄
３０２    小屋の高さ目盛記載欄
３０３    垂木の長さ目盛記載欄
３０４    隅木の長さ目盛記載欄
４０１    建物のスパン目盛記載欄
４０２    小屋の高さ目盛記載欄
４０３    垂木の長さ目盛記載欄
４０４    隅木の長さ目盛記載欄
【図１】
2005256577.tif 000003
【図２】
2005256577.tif 000004
【図３】
2005256577.tif 000005
【図４】
2005256577.tif 000006
【図５】
2005256577.tif 000007
【図６】
2005256577.tif 000008
【手続補正書】
【提出日】平成16年4月26日(2004.4.26)
【手続補正１】
【補正対象書類名】特許請求の範囲
【補正対象項目名】全文
【補正方法】変更
【補正の内容】
【特許請求の範囲】
【請求項１】
建築施工における勾配部分の斜材の寸法を目盛で読み取るようにした勾配部材用物差しであって、表面、裏面のうちの１か所にスパン値である水平距離の目盛を実寸で記入し、他の部分に、前記実寸の水平距離に対応する隅木長さ、垂木長さ、小屋高さのいずれかについて異なる勾配に対応する目盛を記入したことを特徴とする勾配部材用物差し。
【請求項２】
スパン値以外の目盛を、勾配値と、所定の水平距離を１単位とするスパン値とで表わした請求項１に記載の勾配部材用物差し。
【手続補正２】
【補正対象書類名】明細書
【補正対象項目名】全文
【補正方法】変更
【補正の内容】
【発明の詳細な説明】
【技術分野】
【０００１】
本発明は、住宅などの建築施工において、屋根、壁などの勾配部分に存在する垂木、隅木等の斜材の実寸法を読み取ることのできる勾配部材用物差しに関する。
【背景技術】
【０００２】
住宅などの建築施工において屋根部などの勾配部分については、通常平面図あるいは立面図に水平あるいは立面の投影寸法が記載されているけれども、角度を以て組み付けられる垂木、隅木などの斜材（勾配部材）の実寸法は記入されていないから、勾配値から計算で長さを求め、切り出す作業が必要であった。
図２は建物の屋根部分を示す平面図、図３は正面図で、３は垂木、４は隅木、Ｓは垂木の芯ピッチで、以下本発明ではこれを「スパン値」と呼ぶ。ｈは１スパンに対する小屋高さである。
【０００３】
水平距離1尺に対して５寸高くなる勾配を通常「５寸勾配」と呼ぶ。屋根用勾配としては雨仕舞などの理由から５寸以上が望ましいとされ、５寸勾配が一般的であるが、5.5寸、６寸、6.5寸などの勾配もある。建築物の勾配部分には屋根の他、階段、壁などがある。
特許文献１には、平勾配の長さを基準にした隅勾配の長さの目盛と、水平線の長さを基準にした隅勾配の長さの目盛を刻んだ軸に、目盛を見る穴をあけた円筒をかぶせ、軸の両端に勾配名を書いた多角形の取っ手を付けた定規が記載されている。
【０００４】
【特許文献１】特開平６−７４７０３号公報
【特許文献２】実開平１−１２６５０３号公報
【特許文献３】実開平６−２２４６２号公報
【発明の開示】
【発明が解決しようとする課題】
【０００５】
前記特許文献１記載の定規には、水平線の長さを基準にした隅勾配の長さの目盛が刻まれているが、隅木長さに対する垂木長さ、小屋の高さ、スパン値などは再度計算する必要があり、また巻き尺などで実際の位置を測定する必要もある。
【０００６】
本発明は、勾配部分の建築施工において、図面に記載された水平距離から、計算することなく誰でも容易に隅木長さ、垂木長さ、小屋高さ、スパン値を目盛から読み取り、相互に換算して切り出し等を行うことのできる勾配用物差しを実現することを目的とする。
【課題を解決するための手段】
【０００７】
本発明は、建築施工における勾配部分の斜辺の寸法を目盛で読み取るようにした勾配部材用物差しであって、表面、裏面のうちの１か所にスパン値である水平距離の目盛を実寸で記入し、他の部分に、前記実寸の水平距離に対応する隅木長さ、垂木長さ、小屋高さのいずれかについて異なる勾配に対応する目盛を記入したことを特徴とする勾配部材用物差しであって、
望ましくはスパン値以外の目盛を、勾配値と、所定の水平距離を１単位とするスパン値とで表わした前記の勾配部材用物差しである。
【発明の効果】
【０００８】
勾配部分に関する建築施工において、垂木長さ、隅木長さ、小屋高さ、スパン値のいずれかを知ることによって他の値を直ちに換算でき、計算の手間がなくなり施工時間が短縮されるとともに計算ミスがなくなり、施工の品質が向上するという、すぐれた効果を奏する。
【発明を実施するための最良の形態】
【０００９】
巻き尺等の帯状の物差しの表面、裏面のうちの１か所に実寸の目盛を記入し、他の部分に、前記実寸の水平距離に対応する隅木長さ、垂木長さ、小屋高さのいずれかについて複数種類の勾配に対応する目盛を記入する。例えば表面にはスパン値である実寸の水平距離を示すｍｍ単位の目盛と小屋高さの目盛を記入し、裏面には隅木長さ、垂木長さの目盛を記入する。目盛の位置は、水平距離の実寸に対応する換算値の位置である。
また、スパン値の目盛には10ｍｍ毎の目盛と、例えばよく使用される455ｍｍを1単位とするポイントマークや数値を記入する。そして他の目盛にも同じポイントマークや数値を記入して換算しやすくする。
【実施例】
【００１０】
図１は本発明の実施例である巻き尺１の一部を示す平面図である。この図において（ａ）は表面で、その１辺には実寸であるスパン目盛11が、反対の辺には小屋高さを勾配値とスパン値とを組み合わせた目盛12が記入してある。（ｂ）は同じ部分の裏面で、１辺に勾配値とスパン値とを組み合わせた目盛で記入した垂木長さ13が、反対側の辺には同じく勾配値とスパン値とを組み合わせた目盛で記入した隅木長さ14が記入してある。スパン記号は基準スパンを例えば455ｍｍとして、その整数倍を１Ｓ、２Ｓ・・・のように略し、これを勾配を示す数字（寸）に続けて記入している。例えば垂木長さ目盛13で６寸勾配１スパン（6寸１Ｓと略す）ならＰ４の位置、6.5寸勾配１スパン（6.5寸１Ｓ）ならＰ５8の位置、７寸勾配１スパン（7寸１Ｓ）ならＰ６の位置を見て表面のスパン目盛21のＰ１、Ｐ２、Ｐ３の各点を読めば、実寸はそれぞれ530.6ｍｍ、542.7ｍｍ、555.4ｍｍであることがわかる。
【００１１】
スパン値を求める場合は巻き尺２のスパン目盛111を、小屋高さを求める場合は小屋高さの目盛12を、垂木長さを求める場合は垂木長さ目盛13を、隅木長さを求める場合は隅木長さ目盛14を読むようにすればよい。
【００１２】
実施例では「巻き尺」を例にして説明したが、本発明の物差しは巻き尺に限定するものではなく、定規等でもよい。またスパン目盛以外には、垂木長さ、隅木長さ、小屋高さのうち必要なものだけの目盛を記載したものでもよい。スパン記号の表現、目盛の配列などは何ら実施例に示したものに限定しない。基準スパンも455ｍｍのみでなく、407ｍｍを使う場合もあるから、前記寸法に限定しない。
また、特に図示しないが、物差しの表面に水平距離の目盛を実寸で記入し、裏面に垂木長さ、隅木長さ、小屋高さの目盛をまとめて記入してもよい。
【図面の簡単な説明】
【００１３】
【図１】実施例の巻き尺の一部を示す正面図である。
【図２】本発明に係わる建物の屋根部分を示す平面図である。
【図３】本発明に係わる建物の屋根部分を示す正面図である。
【符号の説明】
【００１４】
１    巻き尺
３    垂木
４    隅木
11    スパン目盛
12    小屋高さ目盛
13    垂木長さ目盛
14    隅木長さ目盛
ｈ 小屋高さ
Ｓ スパン
【手続補正３】
【補正対象書類名】図面
【補正対象項目名】図１
【補正方法】変更
【補正の内容】
【図１】
2005256577.tif 000009
【手続補正４】
【補正対象書類名】図面
【補正対象項目名】図２
【補正方法】変更
【補正の内容】
【図２】
2005256577.tif 000010
【手続補正５】
【補正対象書類名】図面
【補正対象項目名】図３
【補正方法】変更
【補正の内容】
【図３】
2005256577.tif 000011
【手続補正６】
【補正対象書類名】図面
【補正対象項目名】図４
【補正方法】削除
【補正の内容】
【手続補正７】
【補正対象書類名】図面
【補正対象項目名】図５
【補正方法】削除
【補正の内容】
【手続補正８】
【補正対象書類名】図面
【補正対象項目名】図６
【補正方法】削除
【補正の内容】